(57)【特許請求の範囲】
【請求項１】
脱穀装置１内に設けられた扱室２内には、フィードチェン３によって送られてきた穀稈を脱穀処理する扱胴４を軸架し、扱室２の一側には脱穀物を処理する処理胴５を内部に軸架する処理室６を設けると共に、該処理室６の後方には、扱室２の後部から送られてくる排塵物を処理する排塵処理胴７の架設されている排塵処理室８を設け、前記扱室２と処理室６と排塵処理室８の下方には落下してくる脱穀物を受けて選別する揺動棚９を設け、該揺動棚９の下方位置で選別風送り方向の始端側には唐箕１０を設け、選別風送り方向下手側に一番ラセン１１を、該一番ラセン１１の選別風送り方向下手側に二番ラセン１２をそれぞれ設けた脱穀装置１において、前記処理胴５と排塵処理胴７を、同軸芯の軸１４で構成し、処理胴５の処理歯５ａは軸１４の前部に植設して構成し、排塵処理胴７の排塵処理歯７ａは軸１４に固着されている円筒体１５の外周部１５ｂに固定して構成し、さらに、前記扱胴４の下方に扱胴受網３０を設け、処理胴５の下方に処理胴受網３１を設け、前記扱胴受網３０は、処理胴受網３１との接点３６において、上側扱胴受網３０ａと下側扱胴受網３０ｂとに二分割して構成すると共に、上側扱胴受網３０ａの目合いよりも処理胴受網３１の目合いを大きくするように構成したことを特徴とする脱穀装置。
【発明の詳細な説明】
【０００１】
【発明の属する技術分野】
この発明は、コンバインやハーベスタ等の脱穀装置に関する。
【０００２】
【従来の技術】
特開平５―３０８８４０号公報には、扱胴を扱胴軸により軸装した脱穀室と、該脱穀室の下方の設けた一番コンベアおよび二番コンベアと、前記脱穀室の終端側部に一部連通するように設けた排塵処理胴を軸装した排塵処理室からなる排塵処理装置とを設けた脱穀装置が開示されている。
【０００３】
また、実開昭６１―９２２５６号公報には、二番コンベアの終端に接続した二番物戻し装置を脱穀室に接続する構成について開示されている。
【０００４】
【発明が解決しようとする課題】
前記特開平５―３０８８４０号公報に記載されたものは、二番物の処理がなされていないという問題点がある。また、実開昭６１―９２２５６号公報に記載されたものは、二番物を脱穀室に戻すので、脱穀室の負荷が高くなって、結局作業効率は低下するという問題点がある。
【０００５】
【課題を解決するための手段】
この発明に係るコンバインやハーベスタ等の脱穀装置は、前記のような課題を解決するものであって、次のような構成である。すなわち、脱穀装置１内に設けられた扱室２内には、フィードチェン３によって送られてきた穀稈を脱穀処理する扱胴４を軸架し、扱室２の一側には脱穀物を処理する処理胴５を内部に軸架する処理室６を設けると共に、該処理室６の後方には、扱室２の後部から送られてくる排塵物を処理する排塵処理胴７の架設されている排塵処理室８を設け、前記扱室２と処理室６と排塵処理室８の下方には落下してくる脱穀物を受けて選別する揺動棚９を設け、該揺動棚９の下方位置で選別風送り方向の始端側には唐箕１０を設け、選別風送り方向下手側に一番ラセン１１を、該一番ラセン１１の選別風送り方向下手側に二番ラセン１２をそれぞれ設けた脱穀装置１において、前記処理胴５と排塵処理胴７を、同軸芯の軸１４で構成し、処理胴５の処理歯５ａは軸１４の前部に植設して構成し、排塵処理胴７の排塵処理歯７ａは軸１４に固着されている円筒体１５の外周部１５ｂに固定して構成し、さらに、前記扱胴４の下方に扱胴受網３０を設け、処理胴５の下方に処理胴受網３１を設け、前記扱胴受網３０は、処理胴受網３１との接点３６において、上側扱胴受網３０ａと下側扱胴受網３０ｂとに二分割して構成すると共に、上側扱胴受網３０ａの目合いよりも処理胴受網３１の目合いを大きくするように構成したことを特徴とする脱穀装置とした。
【０００６】
【発明の実施の形態】
図１〜図４には、本発明の実施例を具現化した脱穀装置が示されている。走行装置１６を有する車台１７の前方には、刈取装置１８と供給搬送装置１９が設けられている。刈取装置１８には、植立穀稈を分草する分草具２０と、植立穀稈を引き起こす引起しケース２１と、植立穀稈を刈り取る刈刃２２と、該刈刃２２にて刈り取られた穀稈を挟持して後方に搬送する株元搬送装置２３から構成されている。この株元搬送装置２３の後方には、該株元搬送装置２３から搬送されてくる穀稈を引き継いで搬送する供給搬送装置１９が設けられている。
【０００７】
前記刈取装置１８は、走行伝動装置２４の上方の支点を中心にして上下動する刈取装置支持フレーム２５にて、その略左右中間部で支持されているので、刈取装置１８は刈取装置支持フレーム２５と共に上下動する構成である。車台１７の上方には、前記供給搬送装置１９から搬送されてくる穀稈を引き継いで搬送するフィードチェン３を有する脱穀装置１と、該脱穀装置１で脱穀選別された穀粒を一時貯溜するグレンタンク２６が載置されている。脱穀装置１の後方には、フィードチェン３から搬送されてくる排稈を引き継いで搬送する排稈チェン２７と、該排稈チェン２７の下方には排稈を切断するカッター２８と、揺動棚９の後方には脱穀装置１から排出される排塵と、カッター２８にて切断された排稈を拡散する拡散体２９を設けている。また、カッター２８以外の、例えば、排稈を結束するノッター等の他の作業機を搭載しているコンバインもある。
【０００８】
図２と図３には、それぞれ脱穀装置１の側面図と平面図が示されている。脱穀装置１内には、扱胴４を扱胴軸４ａで軸架した扱室２と、該扱室２の一側には脱穀物を処理する処理胴５を軸１４で軸架した処理室６を設けていて、さらに、前記処理室６の後方で、且つ、軸１４と同じ軸芯に排塵処理胴７を軸架している排塵処理室８を設けている。即ち、軸１４の後部には、円筒体１５を構成し、該円筒体１５に排塵処理胴７を構成している。扱胴４と処理胴５と排塵処理胴７の下方には、それぞれ扱胴受網３０と処理胴受網３１と排塵処理胴受網３２が設置されている。
【０００９】
前記扱室２と処理室６と排塵処理室８の下方には、落下してくる脱穀物を受けて選別する揺動棚９が設置されていて、該揺動棚９の下方には、選別風送り方向始端側に唐箕１０を設け、該唐箕１０から送風される選別風の送り方向下手側には一番ラセン１１を設け、該一番ラセン１１の選別風送り方向下手側には二番ラセン１２を設けている。
【００１０】
揺動棚９の構成について説明する。揺動棚９は、選別送り方向の始端側から順番に、落下した脱穀物を後方に移送する移送棚９ａ、脱穀物を選別するチャフシーブ９ｂ、排塵を機外に移送して放出するストローラック９ｃから構成されている。該ストローラック９ｃの下方は、二番物を二番ラセン１２内へ案内する二番棚先１２ａで構成されていて、この二番棚先１２ａの終端部近傍まで前記排塵処理胴７が延出している。
【００１１】
横断流ファン３３は、選別室３４内の軽い塵を機外に排出するためのもので、ストローラック９ｃの上方に構成している。前述のごとく構成された脱穀装置１を搭載したコンバインにおいて、エンジン（図示せず）からの動力を走行伝動装置２４に入力して、任意の速度に変速して走行装置１６を駆動する。すると、コンバインは前進を開始する。刈取脱穀作業を行なうには、さらに、刈取装置１８，供給搬送装置１９及び脱穀装置１に、エンジンからの動力を伝達駆動して作業を行なう。このような状態でコンバインが前進すると、植立穀稈は分草具２０により分草されて、引起しケース２１にて引き起こされる。その後、刈刃２２にて刈り取られ、刈り取られた穀稈は、株元搬送装置２３により後方の供給搬送装置１９の始端部に向かって搬送される。
【００１２】
株元搬送装置２３の終端部まで搬送された穀稈は、後方の供給搬送装置１９の始端部に引き継がれる。その後、供給搬送装置１９の終端部まで搬送された穀稈は、脱穀装置１のフィードチェン３の始端部に引き継がれると共に、該フィードチェン３に引き継がれた穀稈は、後方に搬送されながら、扱胴４と扱胴受網３０により脱穀される。脱穀された脱穀物の一部は揺動棚９上に落下して、該揺動棚９の揺動作用と唐箕１０からの風選作用により選別され、一番ラセン１１内へと取り込まれていく。該一番ラセン１１に取り込まれた穀粒は、グレンタンク２６に一時貯溜されて、脱穀後の排稈は、フィードチェン３の終端部から、排稈チェン２７の始端部に引き継がれて搬送され、その後、カッター２８に送られて切断され、下方の拡散体２９により拡散されて圃場面に均一に放出される。
【００１３】
扱室２内の残りの脱穀物は、後方へと搬送されていくが、その途中において一部の脱穀物は処理室６内に取り込まれていく。該処理室６内に取り込まれた脱穀物は、選別風送り方向上手側に搬送されながら、処理胴５と処理胴受網３１の作用で脱穀されて、下方の揺動棚９上に落下していく。扱胴４と処理胴５と排塵処理胴７は共に、図５と図６の正面視（選別風上手側から下手側を見る）において、時計回りで回転する構成であるので、従って、処理胴５の処理歯５ａの向きは、脱穀物を選別風送り方向の上手側方向に送るような向きに固着しておく必要がある。また、排塵処理胴７の排塵処理歯７ａは、脱穀物を選別風送り方向の下手側方向に送るような向きに固着しておく必要がある。図５は脱穀装置１のＳ１ーＳ１断面であり、図６は脱穀装置１のＳ２ーＳ２断面を示している。
【００１４】
前述のように、扱室２内の脱穀物で、揺動棚９上に落下せず、処理室６内にも取り込まれなかった残りの脱穀物は、扱室２の終端部まで搬送される。この扱室２の終端部まで搬送されてきた脱穀物は、排塵処理室８内に取り込まれ、取り込まれた脱穀物は、選別風送り方向下手側に搬送されながら、排塵処理胴７と排塵処理胴受網３２の相互作用で、さらに脱穀されるとともに、脱穀物はほぐされて中に混在している穀粒（いわゆるササリ粒）が取り出されて、下方の揺動棚９上に落下していく。
【００１５】
揺動棚９の揺動作用と唐箕１０からの選別風の作用にもかかわらず、一番ラセン１１内に取り込まれなかった残りの穀粒は、他の排塵物と共にさらに後方に送られ、二番ラセン１２内へと取り込まれていく。該二番ラセン１２内に取り込まれた二番物は、二番揚穀筒３５にて前記処理室６の選別風送り方向下手側に還元されて、扱室２からの脱穀物と合流し、その後、選別風送り方向の上手側に搬送されながら、処理胴受網３１との相互作用で脱穀処理されて、下方の揺動棚９上に落下する。
【００１６】
このような一連の作業を行う脱穀装置１を搭載したコンバインにおいて、前記処理胴５と排塵処理胴７は軸１４の同軸芯で構成すると共に、該軸１４の後部に排塵処理胴７を構成するための円筒体１５を設けるようにする。処理胴５は軸１４の前部に処理歯５ａを植設したものであり、また、処理歯５ａは、処理室６内の脱穀物を唐箕１０による選別風送り方向上手側に移送するように軸１４に植設されている。また、排塵処理歯７ａは、排塵処理室８内の脱穀物を唐箕１０による選別風送り方向下手側に移送するように円筒体１５に植設されている。該円筒体１５は、軸１４に固着されていて、フランジ部１５ａと外周部１５ｂから形成されている。
【００１７】
前述のごとく、処理胴５と排塵処理胴７を構成したので、それぞれを別々の駆動系で伝動する必要がなく、その分構成が簡素化される。また、排塵処理胴７の排塵処理歯７ａは、前記円筒体１５の外周部１５ｂに固定して設け、従って、軸１４と円筒体１５との間は空間部なので、その分重量が軽量化される。次に、図５に示している扱胴受網３０と処理胴受網３１について説明する。
【００１８】
扱胴受網３０は、処理胴受網３１との接点３６において、上側扱胴受網３０ａと下側扱胴受網３０ｂとに二分割されている。ここで、前記上側扱胴受網３０ａの目合いと、処理胴受網３１の目合いを構成するにあたり、上側扱胴受網３０ａの目合いよりも、処理胴受網３１の目合いの方を大きくする構成とする。これにより、処理室６内の脱穀物は下方の揺動棚９上に落ちやすくなり、従って、処理室６内の脱穀物はしつこく脱穀されない。これにより、籾に過度の負荷がかからなくなるので、籾の皮の部分が剥離する、いわゆる脱っぷ現象が防止できる。
【００１９】
また、上述の網の目合いとは別の考えかたとして、上側扱胴受網３０ａの目合いよりも、処理胴受網３１の目合いの方を小さくする構成とする。前述のごとく、扱室２内の一部の脱穀物は上側扱胴受網３０ａから漏下して処理室６内へと入っていくが、同じ脱穀物の状態であっても上側扱胴受網３０ａからは漏下しやすく、処理胴受網３１からは漏下しにくくなる。従って、扱室２内で脱穀されずに残っている枝梗粒は処理室６内で充分に再度脱穀されるので、枝梗粒は正常の穀粒となる。特に、処理室６の下方は一番ラセン１１があるので、グレンタンク２６内に枝梗粒がそのまま入って収穫されることを防止できる。
【００２０】
【発明の効果】
本発明は上述のごとく、処理胴５と排塵処理胴７を、同軸芯の軸１４で構成し、処理胴５の処理歯５ａは軸１４の前部に植設して構成し、排塵処理胴７の排塵処理歯７ａは軸１４に固着されている円筒体１５の外周部１５ｂに固定して構成したので、処理胴５と排塵処理胴７を別々の駆動系で伝動する必要がなく、その分構成が簡素化されると共に、軽量化される。また、軸１４と円筒体１５との間は空間部なので、その分重量が軽量化される。また、扱胴受網３０は、処理胴受網３１との接点３６において、上側扱胴受網３０ａと下側扱胴受網３０ｂとに二分割して構成し、上側扱胴受網３０ａの目合いよりも処理胴受網３１の目合いを大きくするように構成したので、処理室６内の脱穀物は下方の揺動棚９上に落ちやすくなり、処理室６内の脱穀物はしつこく脱穀されなくなる。これにより、籾に過度の負荷がかからなくなるので、籾の皮の部分が剥離する、いわゆる脱っぷ現象が防止できるようになる。
【図面の簡単な説明】
【図１】コンバインの左側面図
【図２】脱穀装置の断面図
【図３】脱穀装置の平面図
【図４】処理胴と排塵処理胴の断面図
【図５】脱穀装置のＳ１―Ｓ１断面図
【図６】脱穀装置のＳ２―Ｓ２断面図
【符号の説明】
１…脱穀装置、２…扱室、３…フィードチェン、４…扱胴、４ａ…扱胴軸、５…処理胴、５ａ…処理歯、６…処理室、７…排塵処理胴、７ａ…排塵処理歯、８…排塵処理室、９…揺動棚、９ａ…移送棚、９ｂ…チャフシーブ、９ｃ…ストローラック、１０…唐箕、１１…一番ラセン、１２…二番ラセン、１２ａ…二番棚先、１３…二番揚穀筒、１４…軸、１５…円筒体、１５ａ…フランジ部、１５ｂ…外周部、１６…走行装置、１７…車台、１８…刈取装置、１９…供給搬送装置、２０…分草具、２１…引起しケース、２２…刈刃、２３…株元搬送装置、２４…走行伝動装置、２５…刈取装置支持フレーム、２６…グレンタンク、２７…排稈チェン、２８…カッター、２９…拡散体、３０…扱胴受網、３０ａ…上側扱胴受網、３０ｂ…下側扱胴受網、３１…処理胴受網、３２…排塵処理胴受網、３３…横断流ファン、３４…選別室、３５…二番揚穀筒、３６…接点。
【図１】
0003601045.tif 000002
【図２】
0003601045.tif 000003
【図３】
0003601045.tif 000004
【図４】
0003601045.tif 000005
【図５】
0003601045.tif 000006
【図６】
0003601045.tif 000007